(57)【要約】【課題】液晶表示器などの表示器の点灯開始時に、一時的に発生する点灯の不具合を回避できる電源装置の提供。【解決手段】定電圧回路１１は、出力電圧ＶＣ１、ＶＣ２（ＶＣ２＞ＶＣ１）をそれぞれ生成し、動作の開始時には、出力電圧ＶＣ２、出力電圧ＶＣ１の順序で出力する。制御回路１３は、定電圧回路１１の動作の開始時に、その定電圧回路１１から出力される出力電圧ＶＣ２を所定時間遅延させ、定電圧回路１１の出力電圧をＶＣ１、ＶＣ２の順序で昇圧回路１２に供給させる。昇圧回路１２は、その供給される出力電圧ＶＣ１、ＶＣ２を使用し、それよりも電圧値が大きな出力電圧ＶＣ３、ＶＣ４、ＶＣ５をそれぞれ生成する。【選択図】  図１
2006136110.tif 000002
【特許請求の範囲】
【請求項１】
表示器に使用される電源装置であって、
第１の出力電圧と、この第１の出力電圧値よりも高い電圧である第２の出力電圧とをそれぞれ生成し、動作開始時に、前記第２の出力電圧、前記第１の出力電圧の順序で出力する定電圧回路と、
前記定電圧回路から出力される第１および第２の出力電圧を使用して、少なくとも２つの出力電圧をそれぞれ生成する昇圧回路と、
前記定電圧回路の動作開始時に、前記定電圧回路から出力される第２の出力電圧を遅延させ、前記第１の出力電圧、前記第２の出力電圧の順序で前記昇圧回路に供給させる制御回路と、
を備えていることを特徴とする電源装置。
【請求項２】
前記定電圧回路および前記昇圧回路は、液晶駆動信号に従って動作を行うようになっており、
前記制御回路は、
前記定電圧回路の前記第２の出力電圧の出力ラインに介在させたスイッチ素子と、
前記液晶駆動信号を所定時間遅延させ、その遅延信号により前記スイッチ素子のオンオフ制御を行う遅延回路と、
からなることを特徴とする請求項１に記載の電源装置。
【請求項３】
表示器に使用される電源装置であって、
第１の出力電圧と、この第１の出力電圧値よりも高い電圧である第２の出力電圧とをそれぞれ生成し、動作開始時に、前記第２の出力電圧、前記第１の出力電圧の順序で出力する定電圧回路と、
前記定電圧回路から出力される第１および第２の出力電圧を使用して、少なくとも２つの出力電圧をそれぞれ生成する昇圧回路と、
前記定電圧回路の動作開始時に、前記第１の出力電圧の出力ラインに一時的に前記第１の出力電圧に相当する電源電圧を供給させる制御回路と、
を備えていることを特徴とする電源装置。
【請求項４】
前記定電圧回路および前記昇圧回路は、液晶駆動信号に従って動作を行うようになっており、
前記制御回路は、
前記定電圧回路の前記第１の出力電圧の出力ラインに接続自在であって、前記出力ラインに対して前記電源電圧を供給するためのスイッチ素子と、
前記液晶駆動信号を所定時間遅延させ、その遅延信号により前記スイッチ素子のオンオフ制御を行う遅延回路と、
からなることを特徴とする請求項３に記載の電源装置。
【請求項５】
表示器に使用される電源装置であって、
第１の出力電圧と、この第１の出力電圧値よりも高い電圧である第２の出力電圧とをそれぞれ生成し、動作開始時に、前記第２の出力電圧、前記第１の出力電圧の順序で出力する定電圧回路と、
前記定電圧回路から出力される第１および第２の出力電圧を使用して、少なくとも２つの出力電圧をそれぞれ生成する昇圧回路と、
前記定電圧回路および前記昇圧回路の動作開始時に、まず前記定電圧回路を動作させ、前記定電圧回路の出力電圧の安定化後に前記昇圧回路を動作させる制御回路と、
を備えていることを特徴とする電源装置。
【請求項６】
前記制御回路は、前記定電圧回路を液晶駆動信号で直接動作させ、前記昇圧回路は前記液晶駆動信号を所定時間遅延させた遅延信号で動作させるようになっていることを特徴とする請求項５に記載の電源装置。
【発明の詳細な説明】
【技術分野】
【０００１】
本発明は、液晶表示器などの表示器に使用され、異なる電圧値からなる複数の出力電圧を出力する電源装置に関するものである。
【背景技術】
【０００２】
従来、この種の電源装置としては、図４に示すように、出力電圧ＶＣ１と出力電圧ＶＣ２（ＶＣ２＞ＶＣ１）とをそれぞれ生成する定電圧回路１と、定電圧回路１が生成した出力電圧ＶＣ１、ＶＣ２に基づいて出力電圧ＶＣ３〜ＶＣ５をそれぞれ生成する昇圧回路２とを備え、定電圧回路１からの出力電圧ＶＣ１、ＶＣ２と、昇圧回路２からの出力電圧ＶＣ３〜ＶＣ５とを液晶駆動回路３に供給するようになっている（例えば、特許文献１参照）。
【０００３】
昇圧回路２では、出力電圧ＶＣ３は出力電圧ＶＣ２と出力電圧ＶＣ１とを加算することにより生成し、出力電圧ＶＣ４は出力電圧ＶＣ２を２倍することにより生成し、出力電圧ＶＣ５は出力電圧ＶＣ２を２倍するとともに出力電圧ＶＣ１を加算することにより生成している。これらの昇圧動作は、次の（１）〜（３）式のようになる。
【０００４】
ＶＣ３＝ＶＣ２＋ＶＣ１        ・・・（１）
ＶＣ４＝２×ＶＣ２            ・・・（２）
ＶＣ５＝（２×ＶＣ２）＋ＶＣ１・・・（３）
【０００５】
ところが、この従来の電源装置では、液晶表示器の点灯開始時に、定電圧回路１から出力電圧ＶＣ２、出力電圧ＶＣ１の順序で出力され、この順序で昇圧回路２に供給される。昇圧回路２は、その供給される出力電圧ＶＣ２と出力電圧ＶＣ１に基づいて、出力電圧ＶＣ３〜ＶＣ５を生成する。
【０００６】
しかし、液晶表示器の点灯開始時には、昇圧回路２は、出力電圧ＶＣ２が先に供給され、その後に出力電圧ＶＣ１が供給されるので、その生成される出力電圧ＶＣ３〜ＶＣ５は、一時的に（４）〜（６）式のようになる。
【０００７】
ＶＣ３≒ＶＣ２    ・・・（４）
ＶＣ４≒２×ＶＣ２・・・（５）
ＶＣ５≒２×ＶＣ２・・・（６）
【０００８】
このように、液晶表示器の点灯開示時に、昇圧回路２で生成される出力電圧ＶＣ３〜ＶＣ５に出力電圧ＶＣ１が一時的に寄与することができないので、液晶表示器が短時間だけ、薄く点灯してしまうという不具合があった。
【特許文献１】特許第２９７３２３１号公報
【発明の開示】
【発明が解決しようとする課題】
【０００９】
本発明の目的は、上記の点に鑑み、液晶表示器などの表示器の点灯開始時に、一時的に発生する点灯の不具合を回避できる電源装置を提供することにある。
【課題を解決するための手段】
【００１０】
上記の課題を解決し本発明の目的を達成するために、各発明は、以下のような構成からなる。
すなわち、第１の発明は、表示器に使用される電源装置であって、第１の出力電圧と、この第１の出力電圧値よりも高い電圧である第２の出力電圧とをそれぞれ生成し、動作開始時に、前記第２の出力電圧、前記第１の出力電圧の順序で出力する定電圧回路と、前記定電圧回路から出力される第１および第２の出力電圧を使用して、少なくとも２つの出力電圧をそれぞれ生成する昇圧回路と、前記定電圧回路の動作開始時に、前記定電圧回路から出力される第２の出力電圧を遅延させ、前記第１の出力電圧、前記第２の出力電圧の順序で前記昇圧回路に供給させる制御回路と、を備えている。
【００１１】
第２の発明は、第１の発明において、前記定電圧回路および前記昇圧回路は、液晶駆動信号に従って動作を行うようになっており、前記制御回路は、前記定電圧回路の前記第２の出力電圧の出力ラインに介在させたスイッチ素子と、前記液晶駆動信号を所定時間遅延させ、その遅延信号により前記スイッチ素子のオンオフ制御を行う遅延回路と、からなる。
【００１２】
第３の発明は、表示器に使用される電源装置であって、第１の出力電圧と、この第１の出力電圧値よりも高い電圧である第２の出力電圧とをそれぞれ生成し、動作開始時に、前記第２の出力電圧、前記第１の出力電圧の順序で出力する定電圧回路と、前記定電圧回路から出力される第１および第２の出力電圧を使用して、少なくとも２つの出力電圧をそれぞれ生成する昇圧回路と、前記定電圧回路の動作開始時に、前記第１の出力電圧の出力ラインに一時的に前記第１の出力電圧に相当する電源電圧を供給させる制御回路と、を備えている。
【００１３】
第４の発明は、第３の発明において、前記定電圧回路および前記昇圧回路は、液晶駆動信号に従って動作を行うようになっており、前記制御回路は、前記定電圧回路の前記第１の出力電圧の出力ラインに接続自在であって、前記出力ラインに対して前記電源電圧を供給するためのスイッチ素子と、前記液晶駆動信号を所定時間遅延させ、その遅延信号により前記スイッチ素子のオンオフ制御を行う遅延回路と、からなる。
【００１４】
第５の発明は、表示器に使用される電源装置であって、第１の出力電圧と、この第１の出力電圧値よりも高い電圧である第２の出力電圧とをそれぞれ生成し、動作開始時に、前記第２の出力電圧、前記第１の出力電圧の順序で出力する定電圧回路と、前記定電圧回路から出力される第１および第２の出力電圧を使用して、少なくとも２つの出力電圧をそれぞれ生成する昇圧回路と、前記定電圧回路および前記昇圧回路の動作開始時に、まず前記定電圧回路を動作させ、前記定電圧回路の出力電圧の安定化後に前記昇圧回路を動作させる制御回路と、を備えている。
【００１５】
第６の発明は、第５の発明において、前記制御回路は、前記定電圧回路を液晶駆動信号で直接動作させ、前記昇圧回路は前記液晶駆動信号を所定時間遅延させた遅延信号で動作させるようになっている。
以上のような構成からなる本発明によれば、液晶表示器などの表示器の点灯開始時に、一時的に発生する点灯の不具合を回避することができる。
【発明を実施するための最良の形態】
【００１６】
以下、本発明の実施形態について、図面を参照して説明する。
（第１実施形態）
本発明の電源装置の第１実施形態の構成について、図１を参照して説明する。
この第１実施形態に係る電源装置は、液晶表示器に適用されるものであり、図１に示すように、定電圧回路１１と、昇圧回路１２と、制御回路１３とを備え、液晶駆動回路１４を駆動するようになっている。
【００１７】
定電圧回路１１は、出力電圧ＶＣ１、ＶＣ２（ＶＣ２＞ＶＣ１）をそれぞれ生成して出力する回路である。また、定電圧回路１１は、液晶駆動信号Ｓ１に基づいて動作を行うものであり、動作の開始時には、出力電圧が出力電圧ＶＣ２、出力電圧ＶＣ１の順序で出力するようになっている。
昇圧回路１２は、定電圧回路１１から出力される出力電圧ＶＣ１、ＶＣ２を使用し、それよりも電圧値が大きな出力電圧ＶＣ３、ＶＣ４、ＶＣ５をそれぞれ生成する回路であり、液晶駆動信号Ｓ１に基づいてその昇圧動作を行う。
【００１８】
すなわち、昇圧回路１２は、出力電圧ＶＣ３は出力電圧ＶＣ２と出力電圧ＶＣ１とを加算することにより生成し、出力電圧ＶＣ４は出力電圧ＶＣ２を２倍することにより生成し、出力電圧ＶＣ５は出力電圧ＶＣ２を２倍するとともに出力電圧ＶＣ１を加算することにより生成するようになっている。これらの昇圧動作をまとめると、（１）〜（３）式のようになる。
【００１９】
制御回路１３は、定電圧回路１１の動作の開始時に、その定電圧回路１１から出力される出力電圧ＶＣ２を所定時間遅延させ、定電圧回路１１の出力電圧を出力電圧ＶＣ１、出力電圧Ｖ２の順序で昇圧回路１２に供給させる回路である。
このために、制御回路１３は、図１に示すように、遅延回路１３１と、スイッチ素子としてのＭＯＳトランジスタ１３２と、から構成される。
【００２０】
遅延回路１３１は、液晶駆動信号Ｓ１を所定時間だけ遅延させる回路である。この遅延回路１３１としては、例えばタイマやフリップフロップが使用される。
ＭＯＳトランジスタ１３２は、定電圧回路１１の出力電圧ＶＣ２の出力ライン１１１に介在して設けられ、ゲートに遅延回路１３１からの出力信号が印加されるようになっている。すなわち、ＭＯＳトランジスタ１３２は、液晶駆動信号Ｓ１を所定時間だけ遅延させた信号によりオンオフ制御されるようになっている。
【００２１】
液晶駆動回路１４は、図示しない液晶表示パネルに画像を表示させるための回路であり、定電圧回路１１からの出力電圧ＶＣ１、ＶＣ２および昇圧回路１２からの出力電圧ＶＣ３、ＶＣ４、ＶＣ５が供給されるようになっている。
次に、このような構成からなる第１実施形態の動作例について、図１を参照して説明する。
【００２２】
図１に示す液晶駆動信号Ｓ１は、定電圧回路１１、昇圧回路１２、および遅延回路１３１にそれぞれ供給される。このため、液晶駆動信号Ｓ１がＬレベルからＨレベルになると、定電圧回路１１および昇圧回路１２はそれぞれ動作を開始する。
そして、定電圧回路１１の２つの出力電圧は、この動作の開始時には、出力電圧ＶＣ２、出力電圧ＶＣ１の順序で出力される。このとき、ＭＯＳトランジスタ１３２は、ゲートがＨレベルにあるので、オフ状態にある。これは、液晶駆動信号Ｓ１が、遅延回路１３１で所定時間遅延され、遅延回路１３１の出力はＨレベルにあるからである。このため、出力電圧ＶＣ２は、昇圧回路１２に供給されない。
【００２３】
その後、遅延回路１３１の出力がＨレベルからＬレベルに変化すると、ＭＯＳトランジスタ１３２は、ゲートがＬレベルになってオンの状態になるので、出力電圧ＶＣ２が昇圧回路１２に供給される。このとき、出力電圧ＶＣ１はすでに昇圧回路１２に供給されている。
この結果、昇圧回路１２には、定電圧回路１１の２つの出力電圧は、出力電圧ＶＣ１、出力電圧ＶＣ２の順序で供給されることになる。このため、昇圧回路１２では、動作の開始時に、その供給される出力電圧ＶＣ１、ＶＣ２の双方を使用し、所望のレベルの出力電圧ＶＣ３〜ＶＣ５を生成することができる。
【００２４】
従って、第１実施形態によれば、液晶表示器の点灯開始時に、一時的に薄く点灯するという不具合を回避できる。
（第２実施形態）
本発明の電源装置の第２実施形態の構成について、図２を参照して説明する。
この第２実施形態に係る電源装置は、液晶表示器に適用されるものであり、図２に示すように、定電圧回路１１と、昇圧回路１２と、制御回路１５とを備え、液晶駆動回路１４を駆動するようになっている。すなわち、この第２実施形態は、図１の制御回路１３を制御回路１５に置き換えるようにしたものである。
【００２５】
定電圧回路１１は、出力電圧ＶＣ１、ＶＣ２（ＶＣ２＞ＶＣ１）をそれぞれ生成して出力する回路である。また、定電圧回路１１は、液晶駆動信号Ｓ１に基づいて動作を行うものであり、動作の開始時には、出力電圧が出力電圧ＶＣ２、出力電圧ＶＣ１の順序で出力するようになっている。
昇圧回路１２は、定電圧回路１１から出力される出力電圧ＶＣ１、ＶＣ２を使用し、それよりも電圧値が大きな出力電圧ＶＣ３、ＶＣ４、ＶＣ５をそれぞれ生成する回路であり、液晶駆動信号Ｓ１に基づいてその昇圧動作を行うものである。
【００２６】
制御回路１５は、定電圧回路１１の動作の開始時に、その定電圧回路１１の出力電圧ＶＣ１の出力ライン１１２上に一時的に電源電圧ＶＤＤを供給し、出力電圧ＶＣ１に相当する電源電圧ＶＤＤと出力電圧ＶＣ２とを、ほぼ同じタイミングで昇圧回路１２に供給させる回路である。
このために、制御回路１５は、図２に示すように、遅延回路１５１と、スイッチ素子としてのＭＯＳトランジスタ１５２と、から構成される。
【００２７】
遅延回路１５１は、液晶駆動信号Ｓ１を所定時間だけ遅延させる回路である。この遅延回路１５１としては、例えばタイマやフリップフロップが使用される。
ＭＯＳトランジスタ１５２は、ドレインが定電圧回路１１の出力電圧ＶＣ１の出力ライン１１２の一部に接続され、ソースには電源電圧ＶＤＤが供給され、ゲートに遅延回路１５１からの出力信号が供給されるようになっている。
【００２８】
すなわち、ＭＯＳトランジスタ１５２は、液晶駆動信号Ｓ１を所定時間だけ遅延させた信号によりオンオフ制御され、オンのときには出力ライン１１２に電源電圧ＶＤＤを供給するようになっている。
液晶駆動回路１４は、図示しない液晶表示パネルに画像を表示させるための回路であり、定電圧回路１１からの出力電圧ＶＣ１、ＶＣ２および昇圧回路１２からの出力電圧ＶＣ３、ＶＣ４、ＶＣ５が供給されるようになっている。
【００２９】
次に、このような構成からなる第２実施形態の動作例について、図２を参照して説明する。
図２に示す液晶駆動信号Ｓ１は、定電圧回路１１、昇圧回路１２、および遅延回路１５１にそれぞれ供給される。このため、液晶駆動信号Ｓ１がＬレベルからＨレベルになると、定電圧回路１１および昇圧回路１２はそれぞれ動作を開始する。
【００３０】
そして、定電圧回路１１の２つの出力電圧は、この動作の開始時には、出力電圧ＶＣ２、出力電圧ＶＣ１の順序で出力される。しかし、その動作開始の直後には、ＭＯＳトランジスタ１５２は、ゲートがＬレベルにあるので、オン状態にある。これは、液晶駆動信号Ｓ１が、遅延回路１５１で所定時間遅延され、遅延回路１５１の出力はＬレベルにあるからである。
【００３１】
このため、定電圧回路１１の動作開始の直後には、出力ライン１１２には出力電圧ＶＣ１が出力されないが、電源電圧ＶＤＤがＭＯＳトランジスタ１５２を介して出力ライン１１２に供給され、これが昇圧回路１２に供給される。さらに、その供給とほぼ同じタイミングで、出力電圧ＶＣ２が昇圧回路１２に供給される。
その後、遅延回路１５１の出力がＬレベルからＨレベルに変化すると、ＭＯＳトランジスタ１５２は、ゲートがＨレベルになってオンからオフの状態になるので、出力ライン１１２に対する電源電圧ＶＤＤの供給は止まる。しかし、このときには、すでに出力電圧ＶＣ１が昇圧回路１２に供給されているので、問題はない。
【００３２】
この結果、昇圧回路１２には、定電圧回路１１の動作開始時に、電源電圧ＶＤＤと、出力電圧ＶＣ２とがほぼ同じタイミングで供給されることになる。このため、昇圧回路１２では、動作の開始時に、その供給電圧を使用し、所望のレベルと異なる出力電圧ＶＣ３〜ＶＣ５を生成することとなる。
従って、第２実施形態によれば、液晶表示器の点灯開始時に、所望と異なる電圧が供給されるが、一時的に薄く点灯するという不具合を回避できる。
（第３実施形態）
本発明の電源装置の第３実施形態の構成について、図３を参照して説明する。
【００３３】
この第３実施形態に係る電源装置は、液晶表示器に適用されるものであり、図３に示すように、定電圧回路１１と、昇圧回路１２と、制御回路１６とを備え、液晶駆動回路１４を駆動するようになっている。
定電圧回路１１は、出力電圧ＶＣ１、ＶＣ２（ＶＣ２＞ＶＣ１）をそれぞれ生成して出力する回路である。また、定電圧回路１１は、液晶駆動信号Ｓ１に基づいて動作を行うものであり、動作の開始時には、出力電圧が出力電圧ＶＣ２、出力電圧ＶＣ１の順序で出力するようになっている。
【００３４】
昇圧回路１２は、定電圧回路１１から出力される出力電圧ＶＣ１、ＶＣ２を使用し、それよりも電圧値が大きな出力電圧ＶＣ３、ＶＣ４、ＶＣ５をそれぞれ生成する回路であり、液晶駆動信号Ｓ１に基づいてその昇圧動作を行うものである。
制御回路１６は、定電圧回路１１および昇圧回路１２の動作の開始時に、まず定電圧回路１１を動作させ、その出力電圧ＶＣ１、ＶＣ２の出力レベルが安定化したのちに、昇圧回路１２を動作させる回路である。
【００３５】
このために、制御回路１６は、図３に示すように、液晶駆動信号Ｓ１を所定時間だけ遅延させる遅延回路１６１からなる。この遅延回路１５１としては、例えばタイマやフリップフロップが使用される。そして、定電圧回路１１は液晶駆動信号Ｓ１により直接動作され、昇圧回路１２は遅延回路１６１の出力信号により動作するようになっている。
液晶駆動回路１４は、図示しない液晶表示パネルに画像を表示させるための回路であり、定電圧回路１１からの出力電圧ＶＣ１、ＶＣ２および昇圧回路１２からの出力電圧ＶＣ３、ＶＣ４、ＶＣ５が供給されるようになっている。
【００３６】
次に、このような構成からなる第３実施形態の動作例について、図３を参照して説明する。
図３に示す液晶駆動信号Ｓ１は、定電圧回路１１、遅延回路１６１にそれぞれ供給される。このため、液晶駆動信号Ｓ１がＬレベルからＨレベルになると、まず定電圧回路１１が動作を開始する。
【００３７】
ここで、定電圧回路１１の２つの出力電圧は、この動作の開始時には、出力電圧ＶＣ２、出力電圧ＶＣ１の順序で出力される。このとき、昇圧回路１２は、動作を開始していない。これは、液晶駆動信号Ｓ１は、遅延回路１６１で所定時間遅延され、遅延回路１６１の出力はＬレベルにあるからである。
その後、遅延回路１６１の出力信号がＬレベルからＨレベルに変化すると、定電圧回路１１から出力される出力電圧ＶＣ１、ＶＣ２により昇圧回路１２は昇圧動作を開始する。このとき、定電圧回路１１は動作の開始から所定時間経過しているので、その出力電圧ＶＣ１，ＶＣ２はいずれも所望のレベルにある。
【００３８】
このため、昇圧回路１２では、そのレベルの安定した出力電圧ＶＣ１、ＶＣ２を使用し、所望のレベルの出力電圧ＶＣ３〜ＶＣ５を生成することができる。
従って、第３実施形態によれば、液晶表示器の点灯開始時に、一時的に薄く点灯するという不具合を回避できる。
（第４実施形態）
第３実施形態では、液晶表示器を点灯させる際に、まず定電圧回路１１を動作させ、その出力電圧ＶＣ１、ＶＣ２の出力レベルが安定化したのちに、昇圧回路１２を動作させるようにした。
【００３９】
第４実施形態は、液晶表示器の点灯時の動作の制御のみならず、その消灯時の動作の制御をＣＰＵ（マイクロコンピュータ）を使用して行うようにし、液晶表示器の点灯時および消灯時における表示の安定化を図るようにしたものである。
このために、第４実施形態では、図３に示す定電圧回路１１、昇圧回路１２、および液晶駆動回路１４は、その動作がＣＰＵにより後述のようにシーケンス制御されるようになっている。
【００４０】
次に、ＣＰＵによる液晶表示器の点灯時（オン時）の各部の制御手順について、図３を参照して説明する。
まず、定電圧回路１１をオンさせ、その出力電圧が安定したら昇圧回路１２をオンさせる。次に、昇圧回路１２の昇圧動作が安定したら、定電圧回路１１の出力電圧および昇圧回路１２の出力電圧を液晶駆動回路１４に供給する。その後、液晶駆動回路１４に画像データを転送する。
【００４１】
次に、ＣＰＵによる液晶表示器の消灯時（オフ時）の各部の制御手順について、図３を参照して説明する。
まず、液晶駆動回路１４に画像データを転送することを停止する。この停止後に、液晶駆動回路１４に対する、定電圧回路１１の出力電圧および昇圧回路１２の出力電圧の供給を停止する。この停止後に、昇圧回路１２オフさせ、その後に定電圧回路１１をオフさせる。
（その他）
上記の各実施形態では、電圧値が異なる５つの電圧が必要な液晶表示器に適用した場合について説明した。しかし、本発明は、電圧値が異なる複数の電圧が必要な各種の表示器に適用可能である。
【図面の簡単な説明】
【００４２】
【図１】本発明の第１実施形態の構成を示すブロック図である。
【図２】本発明の第２実施形態の構成を示すブロック図である。
【図３】本発明の第３実施形態の構成を示すブロック図である。
【図４】従来装置の構成を示すブロック図である。
【符号の説明】
【００４３】
１１・・・定電圧回路、１２・・・昇圧回路、１３、１５、１６・・・制御回路、１４・・・液晶駆動回路、１１１、１１２・・・出力ライン、１３１、１５１、１６１・・・遅延回路、１３２、１５２・・・ＭＯＳトランジスタ
【図１】
2006136110.tif 000003
【図２】
2006136110.tif 000004
【図３】
2006136110.tif 000005
【図４】
2006136110.tif 000006